(57)【要約】【課題】装置の大型化や効率低下を招くことなく目に見える黒煙を除去する排ガス浄化装置を提供する。【解決手段】エンジン発電装置などの排ガス中の浮遊粒子を除去する排ガス浄化装置において、当該装置内部にコロナ放電にて浮遊粒子を除去する排ガス浄化機構を持ち、放電エネルギを制御することにより起動時などに発生する黒煙を除去するようにしたので、装置の大型化や効率低下を招くことなく目に見える黒煙を除去することができる。【選択図】  図１
2004285847.tif 000002
【特許請求の範囲】
【請求項１】
エンジン発電装置などの排ガス中の浮遊粒子を除去する排ガス浄化装置において、当該発電装置内部にコロナ放電にて浮遊粒子を除去する排ガス浄化機構を持ち、放電エネルギを制御することにより起動時などに発生する多量の浮遊粒子を除去することを特徴とする排ガス浄化装置。
【請求項２】
請求項１記載の排ガス浄化装置において、前記放電エネルギの制御をタイマで行うことを特徴とする排ガス浄化装置。
【請求項３】
請求項１記載の排ガス浄化装置において、前記放電エネルギの制御を発電機の回転数を計測して行うことを特徴とする排ガス浄化装置。
【請求項４】
請求項１記載の排ガス浄化装置において、前記放電エネルギの制御を発電機出力電流を計測して行うことを特徴とする排ガス浄化装置。
【請求項５】
請求項１記載の排ガス浄化装置において、前記放電エネルギの制御を発電機出力電力を計測して行うことを特徴とする排ガス浄化装置。
【請求項６】
請求項１記載の排ガス浄化装置において、前記放電エネルギの制御を発電機の軸トルクを計測して行うことを特徴とする排ガス浄化装置。
【発明の詳細な説明】
【０００１】
【発明の属する技術分野】
本発明は、エンジン発電装置等の排ガス中の浮遊粒子を除去する排ガス浄化装置に関する。
【０００２】
【従来の技術】
エンジン発電装置等から排出される排ガス中の浮遊粒子を除去するために、従来より排ガス浄化装置が用いられている。
通常、従来の排ガス浄化装置では、浄化装置内にペレット状あるいは繊維状などのフィルタ材を充填し、排ガス中の浮遊粒子をこのフィルタ材の表面に付着させることによって排ガスを浄化している。しかし、フィルタ材の限界以上に浮遊粒子を捕捉すると、フィルタ材は目詰まりする。この目詰まりしたフィルタ材は、図７（ａ）に示すように、フィルタ交換用扉を設けて新しいフィルタ材７と交換する（特許文献１）か、または図７（ｂ）に示すように、付着粒子を電機ヒータ１８にて昇温除去させる（特許文献２）か、あるいは図７（ｃ）に示すように、高電圧発生器８により発生するコロナ放電によって付着粒子を燃焼、再生させたり（特許文献３）している。さらに、フィルタ材表面に浮遊粒子を付着させると同時に電気ヒータにて昇温除去させたり、コロナ放電によって付着粒子を燃焼除去させたりしている例もある。
【０００３】
【特許文献１】
特開平１０−３１７９４３号公報
【特許文献２】
特開平１０−６８３１０号公報
【特許文献３】
特開平１１−１２９６５８号公報
【０００４】
ところで、エンジン発電装置や自動車に使われているディーゼルエンジンは、起動時や回転数上昇時、あるいは負荷増加時には、排ガス中の浮遊粒子が多くなって黒煙が発生する。この黒煙は目に見えるため、ユーザや周囲の人々に不快感を与え、人体にも影響を与える。また、地球環境保護の観点からも問題になっており、早急な技術的解決が求められている。
【０００５】
【発明が解決しようとする課題】
上記したように、従来の排ガス浄化装置では、一時的な浮遊粒子の増加に対応するには、最も浮遊粒子が多い場合に適するフィルタ容積に設定するのが好ましいが、これでは装置容積が大型化となり、フィルタ圧損も大きくなる。また、最も浮遊粒子が多い場合に合わせて電気ヒータ出力設定やコロナ放電出力設定を行うと、通常時には余分な電力を消費して発電電力の効率低下を招くという問題があった。
【０００６】
本発明（請求項１乃至請求項６対応）は、上記状況に対処するためになされたもので、その課題は装置の大型化や効率低下を招くことなく目に見える黒煙を除去する排ガス浄化装置を提供することにある。
【０００７】
【課題を解決するための手段】
上記課題を解決するために、本発明の請求項１は、エンジン発電装置などの排ガス中の浮遊粒子を除去する排ガス浄化装置において、当該発電装置内部にコロナ放電にて浮遊粒子を除去する排ガス浄化機構を持ち、放電エネルギを制御することにより起動時などに発生する多量の浮遊粒子を除去することを特徴とする。
本発明の請求項２は、請求項１記載の排ガス浄化装置において、前記放電エネルギの制御をタイマで行うことを特徴とする。
【０００８】
本発明の請求項３は、請求項１記載の排ガス浄化装置において、前記放電エネルギの制御を発電機の回転数を計測して行うことを特徴とする。
本発明の請求項４は、請求項１記載の排ガス浄化装置において、前記放電エネルギの制御を発電機出力電流を計測して行うことを特徴とする。
【０００９】
本発明の請求項５は、請求項１記載の排ガス浄化装置において、前記放電エネルギの制御を発電機出力電力を計測して行うことを特徴とする。
本発明の請求項６は、請求項１記載の排ガス浄化装置において、前記放電エネルギの制御を発電機の軸トルクを計測して行うことを特徴とする。
【００１０】
請求項１乃至請求項６記載の発明によると、装置の大型化や効率低下を招くことなく目に見える多量の浮遊粒子からなる黒煙を除去できる排ガス浄化装置を提供することができる。
【００１１】
【発明の実施の形態】
以下、本発明の実施の形態を図を参照して説明する。
図１は本発明の第１実施形態（請求項１対応）の排ガス浄化装置の構成図である。
【００１２】
図に示すように、本実施形態の排ガス浄化装置を設けた発電装置１０では、発電機１に連結シャフト２で連結された駆動エンジン３より排出される排ガスを、排気管４を通してフィルタ７へ送り込み、発電装置外部へ排出されるが、このときフィルタ７の周囲には、高電圧発生装置８に接続された放電極６と受電極５が配され、放電極６と受電極５との間でコロナ放電が発生するように構成されている。
次に、本実施形態の作用について説明する。
【００１３】
通常、運転時は、駆動エンジン３より排出された排ガス中の浮遊粒子は、フィルタ７に捕集され、さらに高電圧発生装置３を運転することにより発生したコロナ放電で、このフィルタ７部分に捕集された浮遊粒子が燃焼除去されている。捕集量と除去量を平衡させることにより適切な放電量で浮遊粒子の排出を防いでいる。浮遊粒子が多くなり、目に見える黒煙が発生すると、制御装置９が放電エネルギの制御をタイマ又は発電機の回転数、出力電流、出力電力あるいは軸トルクを計測することで、放電周波数を高くしたり、印加電圧を高くすることで放電エネルギを上昇させる。放電エネルギの上昇は電気的な現象であり、電気ヒータのような伝熱によるタイムラグがなく、瞬時である。放電エネルギが上昇すると、浮遊粒子の電荷量が多くなり、電気集塵効果によりフィルタ７に捕集され易くなる。また、浮遊粒子のコロナ放電による燃焼除去量がより多くなる。
したがって、装置の大型化や効率低下を招くことなく目に見える黒煙を除去できる排ガス浄化装置を提供することができる。
【００１４】
図２は本発明の第２実施形態（請求項２対応）の排ガス浄化装置の構成図である。
図に示すように、本実施形態の排ガス浄化装置を設けた発電装置１０が第１実施形態と相違する構成は、制御装置９にタイマ１１が内蔵されている点のみであり、その他の構成は同一であるので、同一構成部分には同一符号を付して説明する。
【００１５】
本実施形態において、タイマ１１により制御装置９は起動時の数秒のみ放電エネルギを上昇させる指令を高電圧発生装置８に出す。これにより起動時に増加した浮遊粒子による目に見える黒煙は除去される。
【００１６】
従って、本実施形態も上記第１実施形態と同様の効果が得られるので、装置の大型化や効率低下を招くことなく目に見える黒煙を除去できる排ガス浄化装置を提供することができる。
【００１７】
図３は本発明の第３実施形態（請求項３対応）の排ガス浄化装置の構成図である。
図に示すように、本実施形態の排ガス浄化装置を設けた発電装置１０が第１実施形態と相違する構成は、発電機１に回転計１２が設置されており、制御装置９に回転計の計測信号が送られるようにした点のみであり、その他の構成は同一であるので、同一構成部分には同一符号を付して説明する。
【００１８】
本実施形態において、制御装置９が回転計１２から回転数上昇の信号を受け取ると、放電エネルギを上昇させる指令を高電圧発生装置８に出す。これにより回転数上昇時の増加した浮遊粒子による目に見える黒煙は除去される。
【００１９】
従って、本実施形態も上記第１実施形態と同様の効果が得られるので、装置の大型化や効率低下を招くことなく目に見える黒煙を除去できる排ガス浄化装置を提供することができる。
【００２０】
図４は本発明の第４実施形態（請求項４対応）の排ガス浄化装置の構成図である。
図に示すように、本実施形態の排ガス浄化装置を設けた発電装置１０が第１実施形態と相違する構成は、負荷１４に送る電流を計測する電流計１３が発電機１に設置されており、制御装置９に電流計の計測信号が送られるようにした点のみであり、その他の構成は同一であるので、同一構成部分には同一符号を付して説明する。
【００２１】
本実施形態において、制御装置９が電流計１３から負荷電流上昇の信号を受け取ると、放電エネルギを上昇させる指令を高電圧発生装置８に出す。負荷電流上昇は負荷増加により起こるので、負荷増加時の増加した浮遊粒子による目に見える黒煙は除去される。
【００２２】
したがって、本実施形態も上記第１実施形態と同様の効果が得られるので、装置の大型化や効率低下を招くことなく目に見える黒煙を除去できる排ガス浄化装置付発電装置を提供することができる。
【００２３】
図５は本発明の第５実施形態（請求項５対応）の排ガス浄化装置の構成図である。
図に示すように、本実施形態の排ガス浄化装置を設けた発電装置１０が第１実施形態と相違する構成は、負荷１４に送る電力を計測する電力計１５が発電機１に設置されており、制御装置９に電力計の計測信号が送られるようにした点のみであり、その他の構成は同一であるので、同一構成部分には同一符号を付して説明する。
【００２４】
本実施形態において、制御装置９が電力計１５から負荷電力上昇の信号を受け取ると、放電エネルギを上昇させる指令を高電圧発生装置８に出す。負荷電力上昇は負荷増加により起こるので、負荷増加時の増加した浮遊粒子による目に見える黒煙は除去される。
【００２５】
したがって、本実施形態も上記第１実施形態と同様の効果が得られるので、装置の大型化や効率低下を招くことなく目に見える黒煙を除去できる排ガス浄化装置を提供することができる。
【００２６】
図６は本発明の第６実施形態（請求項６対応）の排ガス浄化装置の構成図である。
図に示すように、本実施形態の排ガス浄化装置を設けた発電装置１０が第１実施形態と相違する構成は、発電機１に軸トルク計１６が設置され、制御装置９に軸トルク計の計測信号が送られるようにした点のみであり、その他の構成は同一であるので、同一構成部分には同一符号を付して説明する。
【００２７】
本実施形態において、制御装置９が軸トルク計１６から軸トルク上昇の信号を受け取ると、放電エネルギを上昇させる指令を高電圧発生装置８に出す。軸トルク上昇は負荷増加により起こるので、負荷増加時の増加した浮遊粒子による目に見える黒煙は除去される。
【００２８】
従って、本実施形態も上記第１実施形態と同様の効果が得られるので、装置の大型化や効率低下を招くことなく目に見える黒煙を除去できる排ガス浄化装置を提供することができる。
【００２９】
【発明の効果】
以上説明したように、本発明（請求項１乃至請求項６対応）によると、装置の大型化や効率低下を招くことなく目に見える黒煙を除去できる排ガス浄化装置を提供することができる。
【図面の簡単な説明】
【図１】本発明の第１実施形態の排ガス浄化装置の構成図。
【図２】本発明の第２実施形態の排ガス浄化装置の構成図。
【図３】本発明の第３実施形態の排ガス浄化装置の構成図。
【図４】本発明の第４実施形態の排ガス浄化装置の構成図。
【図５】本発明の第５実施形態の排ガス浄化装置の構成図。
【図６】本発明の第６実施形態の排ガス浄化装置の構成図。
【図７】従来の排ガス浄化装置の構成図。
【符号の説明】
１…発電機、２…連結シャフト、３…駆動エンジン、４…排気管、５…受電極、６…放電極、７…フィルタ、８…高電圧発生器、９…制御装置、１０…発電装置、１１…タイマ、１２…回転計、１３…電流計、１４…負荷、１５…電力計、１６…軸トルク計、１７…フィルタ交換用扉、１８…電気ヒータ、１９…電気ヒータ電源。
【図１】
2004285847.tif 000003
【図２】
2004285847.tif 000004
【図３】
2004285847.tif 000005
【図４】
2004285847.tif 000006
【図５】
2004285847.tif 000007
【図６】
2004285847.tif 000008
【図７】
2004285847.tif 000009